(57)【要約】【課題】噴霧装置に関して、該設置する箇所の周辺環境に適合し得る外観とすること。【解決手段】設置箇所の周辺環境に適合し得る外観を形成し得る噴霧用の装置であり、該装置の本体２の側胴部２ｃの所定箇所に配設された係止部４１等に着脱自在に取り付け可能な外板３１等によって形成された外筒部３で囲繞された構成を備える噴霧装置１などを提供する。前記外筒部３の色、模様、材質、形状などを自由に選択できるように工夫し、外筒部３を構成する外板３１等を簡単に取り換えできるようにもした。【選択図】  図１
2010007876.tif 000002
【特許請求の範囲】
【請求項１】
設置箇所の周辺環境に適合し得る外観を形成し得る噴霧用の装置であって、
前記装置の本体側胴部の所定箇所に配設された係止部に着脱自在に取り付け可能な外板によって形成された外筒部によって囲繞された噴霧装置。
【請求項２】
前記外筒部は、多角柱状をなすことを特徴とする請求項１記載の噴霧装置。
【請求項３】
前記本体側胴部を、装置長手方向に二以上の区域に分け、
ぞれぞれの前記区域に、外観の異なる外筒部を形成し得るようにしたことを特徴とする請求項１又は２に記載の噴霧装置。
【請求項４】
前記本体側胴部には、突板部が、長手方向所定間隔を置いて少なくとも一対配設されており、かつ、それぞれの突板部は、前記正面視した際において互いの外形が重ね合わさるように位置決めされており、
平板状をなす前記外板が、各突板部の対応する外辺部に定着して前記外筒部を形成していることを特徴とする請求項１から３のいずれか一項に記載の噴霧装置。
【請求項５】
噴出された霧をより遠方に飛ばすための送風装置を備えてなる請求項１から４のいずれか一項に記載の噴霧装置。
【発明の詳細な説明】
【技術分野】
【０００１】
本発明は、噴霧装置に関する。より詳しくは、設置箇所の周辺環境に適合し得る外観を形成し得るように工夫された噴霧装置に関する。
【背景技術】
【０００２】
近年、地球温暖化現象やヒートアイラインド現象などを背景として、空間を冷却する技術の必要性が益々高まっている中、霧（ミスト）の気化熱を利用した冷却技術（以下、「ミスト冷却技術」という。）が注目されている。
【０００３】
このミスト冷却技術は、冷房装置が使えない野外での空間冷却に特に適しており、また、霧を微細化することにより即座に気化することから、人や床などを濡らすことなく、体に自然な爽快感を提供できるという利点がある。例えば、商店街、スポーツ施設、遊園地、動物園、休憩場所、学校、公園、野外イベント会場、高速道路のパーキングエリア、プラットホームなどに代表されるような人が多数集まる場所で利用され、夏場の熱中症対策などに効果を上げている。あるいは、工場、研究施設などの空間温度管理が必要な施設、空間冷却に加えて沈塵が必要となる工事現場などでも普及が進み、さらには、コンクリート養生や芝生養生などの用途でも普及し始めている。
【０００４】
例えば、特許文献１には、降温用の噴霧システムが開示されており、特許文献２には、建設現場において利用される噴霧冷却システムや方法が開示されている。
【特許文献１】特開２００６−１７７５７９号公報。
【特許文献２】特開２００８−１２７８０４号公報。
【発明の開示】
【発明が解決しようとする課題】
【０００５】
ミスト冷却技術の普及が進む中で、当該噴霧装置が物質的、あるいは硬質感のある外観を持っているので、周辺環境の雰囲気との関係において、看者に違和感を与えてしまう場合やデザイン性において不適格である場合などが徐々に問題になってきつつある。
【０００６】
そこで、本発明は、設置箇所の周辺環境に適合し得る外観やデザインを形成し得るように工夫された噴霧装置を提供することを主な目的とする。
【課題を解決するための手段】
【０００７】
本発明では、まず、設置箇所の周辺環境に適合し得る外観を形成し得る噴霧用の装置であり、該装置の本体側胴部の所定箇所に配設された係止部に着脱自在に取り付け可能な外板によって形成した外筒部で囲繞された構成の噴霧装置を提供する。前記外筒部の具体的な形状は、設置箇所の周辺環境等に応じて自由に選択可能で特に限定されないが、例えば、多角柱状であってもよい。
また、前記本体側胴部を、装置長手方向に二以上の区域に分けておいて、それぞれの前記区域に、外観の異なる外筒部を形成するようにして、装置外観のバリエーションをより多彩なものとしてもよい。
さらに、前記本体側胴部に、該側胴部から外側に突出する突板部を、装置長手方向に所定間隔を置いて少なくとも一対配設しておくようにして、かつ、それぞれの突板部を、前記正面視した際において互いの外形が重ね合わさるように位置決めしておくようにする。そして、平板状に形成された前記外板（平板部を有する外板を含む。）を、各突板部の対応する外辺部に定着させることにより前記外筒部を形成するという構成を採用してもよい。突板部は、外筒部を支持する役割を果たす。
なお、本発明に係わる噴霧装置それ自体の構成や種類等は、とくに限定されないが、噴出された霧をより遠方に飛ばすための送風装置を備えている噴霧装置にも適用できる。
【発明の効果】
【０００８】
本発明に係わる噴霧装置は、着脱自在に取り付け可能な外板によって形成された外筒部によって囲繞された構成であるので、該装置の外観を設置箇所の周辺環境に適合させることができる。噴霧装置にデザイン性や機能性を付加するだけでなく、噴霧装置本体を風雨などから保護する役割も果たす外筒部は、一枚一枚が装置本体に対して着脱自在に構成されている外板によって形成されているため、仮に、該外筒部が経年劣化や破損等した場合であっても、迅速、かつ、容易に、外板一枚単位で取り替えることができるので便利であり、また、経済的である。
【発明を実施するための最良の形態】
【０００９】
以下、添付した図面を参照しながら本発明に係わる噴霧装置の好適な実施形態例について説明する。なお、本発明は、図面に開示された噴霧装置、あるいは、その構成部品の構成に狭く限定されない。
【００１０】
まず、図１は、本発明に係わる噴霧装置の一実施形態例の外観斜視図であって、外筒部を仮想線で示し、装置本体部分を実線で示した図である。
【００１１】
符号１で示された噴霧装置は、例えば、所望の空間や場所に対して微細な霧をノズルＮから噴出することにより、該霧の気化熱で、前記空間や場所の温度を制御する用途などに、好適に使用される装置である。
【００１２】
例えば、本噴霧装置１は、商店街、スポーツ施設、遊園地、動物園、休憩場所、学校、公園、野外イベント会場、高速道路のパーキングエリア、プラットホームなどに代表されるような人が多数集まる場所に設置されたり、工場、研究施設などの空間温度管理が必要な施設、空間冷却に加えて沈塵が必要となる工事現場などに設置されたり、あるいは、コンクリート養生や芝生養生などの用途でも使用される装置である。なお、場合によっては、加湿や殺菌等の目的で使用される場合もあり得る。
【００１３】
本噴霧装置１の噴霧システムやノズルの種類や構成については、特に限定されない。噴霧システムは、例えば、送風装置一体型の構成であってもよいし、送風装置が設けられていない構成であってもよいが、送風装置が設けられた構成の方がより大型化し、装置外観印象の問題が顕在化するので、本発明はより好適であると考えられる。ノズルＮについては、例えば、一流体ノズルでもよいし、二流体ノズルであってもよい。
【００１４】
ここで、本噴霧装置１は、その構造を大別すると、一部凹凸形状を有するが概ね円柱状の形態を備える装置本体（以下、本体と略す。）２と、この本体２を囲繞する外筒部３と、から構成されている。前記本体２を正面視したときにリング状の外観をなす最前面部２ａ（図１参照）には、空間や所定の場所などに霧（ミスト）を噴出するためのノズルＮが、周方向に所定間隔で複数配設されており（図１の実施形態では計６個）、さらには、本体２の後方２ｂには送風装置（特に詳細には図示せず。）が設けられている。
【００１５】
なお、前記送風装置によって生み出された風は、最前面部２ａに開口する空洞部２１から前方に向けて吹き出される構成となっていて、前記ノズルＮ群から前方に向けて一斉に噴出された霧をより遠方に飛ばしたり、分散を促進して気化を促進したりするなどの役割を果たしている。
【００１６】
ここで、装置１を構成する本体２の側胴部２ｃには、前方側（矢印Ｘ方向側）又は後方側（矢印Ｙ方向側）から正面視した際に看取される外形がすべて正確に一致するように、複数の突板部２２が長手方向所定間隔を置いて配置されている。突板部２２を設ける場合は、該突板部２２を少なくとも一対配設されている必要がある。本実施形態例では、計３枚の突板部２２１,２２２,２２３（即ち、計二対２２１と２２２,２２２と２２３）が配設された構成が例示されている。
【００１７】
より詳しくは、本実施形態例においては、正面視六角形をなす計３枚の突板部２２１,２２２,２２３が、前記正面視した際において、互いの外形が正確に重ね合わさるように位置決めされている。なお、本実施形態例の突板部２２（２２１〜２２３）は、正面視六角形に特に限定されものではなく、例えば、三角形、四角形、五角形などを含む多角形、あるいは、円形であってもよい。
【００１８】
ここで、突板部２２１の前面部２２１ａには、前方側へ突出する棒状形態の係止部４１が計六対設けられている。また、そのより後方側に配置された突板部２２２の前面部２２２ａにも、前方側へ突出する棒状形態の係止部４２が計六対設けられている（図１参照）。
【００１９】
なお、係止部４１や係止部４２を設ける箇所は、図１のように、多角形状をなす突板部２２を採用する場合であれば、該突板部２２の各角部を挟んで二個ずつ配置しておくことが望ましい。それによって、一つの外辺部に対応するように一対をなして設けられる係止部４１，４１間の距離や係止部４２，４２間の距離が充分に保たれ、係止部４１，４１に係着する外板３１（図２参照）や、係止部４２，４２に係着する外板３２（図２参照）などを安定して支持することができるからである（他の係止部についても同様）。
【００２０】
次に、前方から二番目に位置する前記突板部２２２の後面部２２２ｂには、後方側へ（突板部２２３側へ）突出する棒状形態の係止部４３が計六対設けられており、さらには、最後方に位置する突板部２２３の前面部２２３ａには、前方側へ（突板部２２２側へ）突出する棒状形態の係止部４４が計六対設けられている（図１参照）。
【００２１】
次に、図２は、本発明に係わる装置１の外筒部３が分解された状態で示された外観斜視図である。
【００２２】
この図２に示すように、外筒部３は、装置１の本体２の側胴部２ｃに配設された係止部４１,４２,４３に対して着脱自在に取り付け可能な構造を備える外板群が接合することによって構成されている。より詳しくは、本体２の前方側に取り付けられる外板３１と、該外板３１の後方側に取り付けられる外板３２と、によって直列をなす一分割面が形成され、この一分割面が寄せ集まり互いに接合されることによって、六角柱状の外筒部３が形成されている。
【００２３】
外板３１や３２の材質は、特に限定されず、目的に応じて自由に選択することができ、例えば、アクリル樹脂などの合成樹脂、ガラス、金属、大理石などの石材、木材などを適宜選択でき、あるいは、表面に太陽電池パネルが取り付けられた構成や植栽を施した構成なども採用可能である（以下、他の符号が付された外板でも同様）。
【００２４】
外板３１は、突板部２２１,２２２の対応する外辺部（例えば、図１に符号２２１１と２２２１で示す。）に対して、その裏面部分が定着した状態で取り付けられる。一方の外板３２は、突板部２２２,２２３の対応する外辺部（例えば、図１に示す２２２１と２２３１）に対して、その裏面部分が定着した状態で取り付けられる。このように、突板部２２１〜２２２は、その各外辺部が外筒部３の裏面に対して当接された状態となることによって、該外筒部３を支持する役割を果たす。これにより、外側からの外力に対して外筒部３が耐えられる構造となる。
【００２５】
以下、図２に加えて、図３、図４を参照して、外板３１、外板３２の実施形態例について詳しく説明する。図３は、本体２の前方側（ノズルＮ側に）に取り付けられる外板３１の形態構成を説明するための図であり、同図（Ａ）は外板３１を裏面側から視た外観平面図、同図（Ｂ）は同外板３１を側方（Ａ図矢印Ｓ方向）から視た外観側面図、同図（Ｃ）は同外板３１を後方側（Ａ図矢印Ｔ方向）から視た外観図である。
【００２６】
外板３１は、例えば、耐候性のある合成樹脂によって形成されており、平板状をなす平板部３１１と、該平板部３１１の前端部分において直角に屈曲している屈曲部３１２と、を備えている。そして、該屈曲部３１２には、装置の本体２の前面に配置されたノズルＮに対して遊嵌可能な口径の孔Ｈが、一つ形成されている（図２、図３（Ｃ）参照）。
【００２７】
そして、外板３１の平板部３１１の裏面３１１ａの所定位置には、突板部２２１（図１参照）に形成されている一対の係止部４１,４１（図１参照）に対して着脱自在に係着することが可能な一対の係着部３１３,３１３と、突板２２２（図１参照）に形成された一対の係止部４２,４２（図１参照）に対して着脱自在に係着することが可能な一対の係着部３１４,３１４が設けられている（図３参照）。
【００２８】
棒状形態をなす係止部４１,４１は、可撓性を有する材料で形成された係着部３１３，３１３の各開口部３１３１，３１３１を押し広げるように入りこむことによって係着される。同様に、棒状をなす係止部４２,４２は、可撓性を有する材料で形成された係着部３１４,３１４の各開口部３１４１，３１４１を押し広げるように入り込むことによって係着される構成となっている。このような係着方法によって、すべての外板３１は、本体２の前方領域に取り付けられる。なお、図３に示された符号３１５は、係着部３１３，３１４を固定するために設けられた台座部である。
【００２９】
次に、図４は、本体２の後方側（送風装置側に）に取り付けられる外板３２の形態構成を説明するための図であり、同図（Ａ）は外板３２を前方側から視た外観図、同図（Ｂ）は同外板３２を裏面側から視た外観平面図である。
【００３０】
まず、外板３２は、例えば、耐候性のある合成樹脂によって形成されており、平板状の形態を備える平板部３２１と、該平板部３２１の裏面３２１ａに設けられた計二対の係着部３２２，３２２と３２３，３２３と、を備える。なお、係着部３２２，３２２は、図１に示された係止部４３，４３にそれぞれ係着し、係着部３２３，３２３は、図１に示された係止部４４，４４にそれぞれ係着する。係着方法については、上記した外板３１の場合と同様である。なお、図４に示された符号３２４は、係着部３１３，３１４を固定するために設けられた台座部である。
【００３１】
図５は、外筒部３が取り付けられた状態の噴霧装置の一実施形態例の外観斜視図である。なお、この図５では、同噴霧装置から霧Ｍが噴出されている様子が示されている。
【００３２】
この図５に示された噴霧装置１は、計６枚の外板３１と計６枚の外板３２によって、六角柱状の外観形態をなす外筒部３を備えている。即ち、外板３１と外板３２は、隣接する外板３１あるいは外板３２に対して、互いの外辺部同士が接し合って配置されることにより、隙間のない六角柱状の外筒部３を形成している。なお、図５中の符号５は、噴霧装置１を支持するための支持台を示している。
【００３３】
図６は、本発明に係る噴霧装置の変形形態例の外観斜視図である。
この噴霧装置１０は、同装置１０の前方側に位置する外板３１群と後方に位置する外板３２群の色を変えることによって、ツートンカラーの外観を呈する外筒部３を有していることを示している。このように、前方側の外板３１、後方側の外板３２の色、模様、さらには、材質などを変えることによって、外観のバリエーションを増やしたり、機能性を高めたりすることができる。
【００３４】
図７は、本発明に係る噴霧装置の別の変形形態例の外観斜視図である。
この噴霧装置１１は、装置長手方向（矢印Ｌ参照）に三つの区域に分けられており、三種類の外板３１、３３、３４によって形成された六角柱状の外観形態の外筒部３を備えている。
【００３５】
この変形形態例を挙げたことからもわかるように、装置長手方向（矢印Ｌ参照）に、複数の区域に分けて（四区域以上でもよい）、必要数の突板部２２を所望の間隔で配置しておき、それぞれの区域に、色、模様、材質などが異なる外板を配置するようにすれば、さらに、外観のバリエーションを増やすことができる。
【００３６】
図８は、本発明に係る噴霧装置のさらに別の変形形態例の外観斜視図である。
この図８に示された噴霧装置１２は、外筒部３が四角柱状の形態を有している。即ち、装置前方側に配置される四枚の外板３５と、その後方に配置された四枚の外板３６によって、全体として四角柱状をなす外筒部３が形成されている。この場合、突板部２２の正面視したときの外形は四角形とする。なお、本噴霧装置１２についても、外板３５と外板３６の色、模様、材質などを変化させて、外観のバリエーションを増やすことは自由である。
【００３７】
図９は、本発明に係る噴霧装置のさらに別の変形形態例の外観斜視図である。
この図９に示された噴霧装置１３は、外筒部３が八角柱状の形態を有している。即ち、装置前方側に配置される八枚の外板３５と、その後方に配置された八枚の外板３６を接合することによって、全体として八角柱状をなす外筒部３が形成されている。この場合、突板部２２の正面視外形は八角形とする。なお、本噴霧装置１３についても、外板３５と外板３６の色、模様、材質などを変化させて、外観のバリエーションを増やすことは自由である。
【００３８】
なお、図示はしないが、所定数に分割された湾曲形態の外板を接合することによって、円柱状（円筒状）の外筒部を備える噴霧装置を形成することも可能である。この場合、該外筒部を支持する突板部は、正面視、円形の外形をなすようにすればよい。
【００３９】
本噴霧装置１、１０〜１３は、野外に設置されることを想定すると、外板（例えば、３１、３２）同士の接合部分の水密性を高めるために、外板（例えば、３１、３２）の外辺部分が互いに係合し合うような構造を持つように工夫してもよい。該構造は、係合し合う凹凸構造などを採用可能である。
【００４０】
また、外板（例えば、３１や３２）は、図１、図３及び図４中に符号Ｗで示されたワイヤーを介して、装置本体２に対して連結されているようにしてもよい。例えば、ワイヤーＷの一端を、棒状をなす係止部（例えば、４１〜４４）に対して取り付けておき、他端を外板の所定箇所（例えば、係着部３１３,３１４,３２２,３２３の孔Ｓなど）に取り付けておくようにする。このような構成にすれば、万が一、外板が装置本体２から外れても外板はぶら下がった状態で留まるので、外板が落下したり、風で吹き飛んだりして人や物にぶつかり、事故を起こしてしまうことがないという利点がある。
【産業上の利用可能性】
【００４１】
本発明に係る噴霧装置は、例えば、冷房装置が使えない野外での空間冷却装置として利用でき、特に、自然環境などの周辺環境との適合性が求められるような場所、あるいはデザイン性（意匠性）が要求されるような場所に設置される噴霧装置として広く利用することができる。
【図面の簡単な説明】
【００４２】
【図１】本発明に係わる噴霧装置の一実施形態例の外観斜視図であって、外筒部を仮想線で示し、装置本体部分を実線で示した図である。
【図２】同実施形態例の噴霧装置（１）の外筒部（３）が分解された状態で示された外観斜視図である。
【図３】本体（２）の前方側（ノズルＮ側に）に取り付けられる外板３１の形態構成を説明するための図であり、同図（Ａ）は外板（３１）を裏面側から視た外観平面図、同図（Ｂ）は同外板（３１）を側方（Ａ図矢印Ｓ方向）から視た外観側面図、同図（Ｃ）は同外板（３１）を後方側（Ａ図矢印Ｔ方向）から視た外観図である。
【図４】本体（２）の後方側（送風装置側に）に取り付けられる外板（３２）の形態構成を説明するための図であり、同図（Ａ）は外板（３２）を前方（あるいは後方）側から視た外観図、同図（Ｂ）は同外板（３２）を裏面側から視た外観平面図である。
【図５】外筒部（３）が取り付けられた状態の噴霧装置の一実施形態例の外観斜視図である。
【図６】本発明に係る噴霧装置の変形形態例の外観斜視図である。
【図７】本発明に係る噴霧装置の別の変形形態例の外観斜視図である。
【図８】本発明に係る噴霧装置のさらに別の変形形態例の外観斜視図である。
【図９】本発明に係る噴霧装置のさらに別の変形形態例の外観斜視図である。
【符号の説明】
【００４３】
１、１０、１１、１２、１３  噴霧装置
２  装置本体（略、本体）
２ｃ  装置本体の側胴部
３  外筒部
２２（２２１〜２２３）  突板部
３１〜３８  外板
４１，４２，４３，４４  係止部
Ｌ  装置長手方向
Ｎ  ノズル
【図１】
2010007876.tif 000003
【図２】
2010007876.tif 000004
【図３】
2010007876.tif 000005
【図４】
2010007876.tif 000006
【図５】
2010007876.tif 000007
【図６】
2010007876.tif 000008
【図７】
2010007876.tif 000009
【図８】
2010007876.tif 000010
【図９】
2010007876.tif 000011